(57)【要約】【課題】保冷材の出し入れの容易性を担保しながら、保冷材の冷却効果を向上することのできるシャツを提供する。【解決手段】シャツ１００は、前身頃１１の裏側に形成された保冷材収納部２０を備える。保冷材収納部２０は、シャツ１００の襟刳１１ｂ方向に向かって開口する開口部２１を備える。また、保冷材収納部２０は、保冷材が、開口部２１から横方向（図１矢印Ａ）に向かって挿入されることで、保冷材を保持することが可能である。さらに、保冷材は、挿入方向Ａとは逆方向に取り出すことが可能である。【選択図】図１
0003153549.tif 000002
【実用新案登録請求の範囲】
【請求項１】
前身頃の裏側に形成された保冷材収納部を備え、
前記保冷材収納部は、
前記シャツの襟刳方向または前立て方向に向かって開口する開口部を備え、
保冷材が、前記襟刳に向かって開口する開口部から、または前記前立て方向に向かって開口する開口部から横方向または斜め下方向に向かって挿入されることで、前記保冷材を保持することが可能であり、
前記保冷材は、前記挿入方向とは逆方向に取り出すことが可能である、シャツ。
【請求項２】
前記保冷材収納部に収納された保冷材の外側に吸水部材をさらに備え、
前記吸水部材が、前記保冷材による露を吸収する、請求項１に記載のシャツ。
【請求項３】
前記保冷材収納部に収納された保冷材の内側に吸水部材をさらに備え、
前記吸水部材が、前記保冷材による露を吸収する、請求項１または請求項２に記載のシャツ。
【請求項４】
前記前身頃の表側の前記保冷材収納部と対応する位置に形成されたポケットをさらに備える、
請求項１〜請求項３のいずれかに記載のシャツ。
【請求項５】
後身頃の裏側に形成された保冷材収納部をさらに備える、
請求項１〜請求項４のいずれかに記載のシャツ。
【考案の詳細な説明】
【技術分野】
【０００１】
本考案は、シャツに関し、より特定的には、着用者の体温の上昇を防止又は低下させ得るシャツに関する。
【背景技術】
【０００２】
従来から、身体を冷却するために、保冷材を収納可能なポケットを備えた冷却衣料が利用されてきている。たとえば特開２００７−３１４９２４号公報（特許文献１）は、胸覆部と背中覆部とに保冷材を収納可能なポケットが形成された冷却衣料を開示している。この特許文献１に開示された冷却衣料の胸覆部のポケットは、胸覆部を構成する布帛とこの布帛に重なる表側布帛とによって内部の空間が形成されている。このため、胸覆部のポケットへの保冷材の出し入れが容易となっている。
【特許文献１】特開２００７−３１４９２４号公報
【考案の開示】
【考案が解決しようとする課題】
【０００３】
しかしながら、従来の冷却衣料はＴシャツなどの下着の上に着用されることを想定されている。また、上述のとおり、胸覆部のポケットは、胸覆部を構成する布帛の表側に形成されている。このため、下着やポケットを構成する布帛の存在により、保冷材から身体への熱の伝達が悪くなるという問題があった。
【０００４】
したがって、本考案の目的は、保冷材の出し入れの容易性を担保しながら、保冷材の冷却効果を向上することのできるシャツを提供することである。
【課題を解決するための手段】
【０００５】
本考案のシャツは、前身頃の裏側に形成された保冷材収納部を備える。この保冷材収納部は、シャツの襟刳方向または前立て方向に向かって開口する開口部を備え、保冷材が、襟刳に向かって開口する開口部から、または前立て方向に向かって開口する開口部から横方向または斜め下方向に向かって挿入されることで、保冷材を保持することが可能である。また、保冷材は、挿入方向とは逆方向に取り出すことが可能である。
【０００６】
本願考案者は、従来の冷却衣料において熱の伝達効率が上がらない原因が、胸覆部のポケットに収納される保冷材の出し入れの容易性を担保するために、胸覆部を構成する布帛の表側に形成されていることによるものであることを見出した。
【０００７】
本考案によれば、シャツにおける前身頃の裏側に保冷材収納部が形成されるので、保冷材から着用者の身体への熱の伝達を妨げる介在物が最小限に抑えられている。このため、保冷材の冷却効果を向上することができる。また、保冷材収納部が、シャツの襟刳方向または前立て方向に向かって開口する開口部を備え、保冷材が、襟刳に向かって開口する開口部から、または前立て方向に向かって開口する開口部から横方向または斜め下方向に向かって挿入される。また、保冷材が、その挿入方向と逆方向に取り出される。このため、着用者自身が襟刳または前立てから保冷材を容易に出し入れすることができる。
【０００８】
好ましくは、本考案のシャツは、保冷材収納部に収納された保冷材の外側に吸水部材をさらに備える。この吸水部材が、保冷材による露を吸収する。これにより、シャツが外観上保冷材による露により濡れることを防止できる。従って、シャツの清潔感を保たせることができる。
【０００９】
好ましくは、本考案のシャツは、保冷材収納部に収納された保冷材の内側に吸水部材をさらに備える。この吸水部材が、保冷材による露を吸収する。これにより、シャツの着用者に接する部分が保冷材による露により濡れることを防止できる。従って、着用者が保冷材による露により濡れることがなく、着用者に不快感を与えることを防止できる。
【００１０】
好ましくは、本考案のシャツは、前身頃の表側の保冷材収納部に対応する位置に形成されたポケットをさらに備える。これにより、シャツが外観上保冷材による露により濡れることを防止できる。従って、シャツの清潔感を保たせることができる。
好ましくは、本考案のシャツは、後身頃の裏側に形成された保冷材収納部をさらに備える。このようにすることで、保冷材の冷却効果を向上することができる。
【００１１】
なお、本明細書において、保冷材とは、袋体に保冷剤を収納したものをいう。
【考案の効果】
【００１２】
本考案のシャツによれば、操作性及びを向上することができる。
【図面の簡単な説明】
【００１３】
【図１】本考案の一実施の形態におけるシャツを示す正面図である。
【図２】本考案の一実施の形態におけるシャツの保冷材収納部と保冷材収納部に保持される保冷材とを示す断面図である。
【図３】本考案の他の一実施の形態におけるシャツを示す正面図である。
【図４】本考案の他の一実施の形態におけるシャツを示す正面図である。
【図５】本考案の一実施の形態におけるシャツの保冷材収納部と保冷材収納部に保持される保冷材とを示す断面図である。
【図６】本考案の一実施の形態におけるシャツの保冷材収納部と保冷材収納部に保持される保冷材とを示す断面図である。
【図７】本考案の一実施の形態におけるシャツを示す正面図である。
【図８】本考案の一実施の形態におけるシャツの保冷材収納部、保冷材収納部に保持される保冷材、及びポケットを示す断面図である。
【図９】本考案の他の一実施の形態におけるシャツを示す裏面図である。
【図１０】本考案の他の一実施の形態におけるシャツの後部保冷材収納部と後部保冷材収納部に保持される保冷材とを示す断面図である。
【考案を実施するための最良の形態】
【００１４】
＜第１の実施形態＞
以下、本考案の一実施の形態について、図面に基づいて説明する。
【００１５】
図１は、本考案の一実施の形態におけるシャツ１００を示す正面図である。また、図２は、本考案の一実施の形態におけるシャツ１００の保冷材収納部２０と保冷材収納部２０に保持される保冷材３０とを示す断面図である。図１及び図２を参照して、本実施の形態におけるシャツ１００は、前身頃１１と、後身頃１２と、袖１３と、前身頃１１の裏側１１ａに形成された左右２つの保冷材収納部２０を備えている。
【００１６】
各保冷材収納部２０は、前身頃１１の裏側１１ａに対して、四角形状の生地２２を接合することにより形成されている。なお、前身頃１１と生地２２との接合手段としては、縫合や接着などの公知の手段が用いられる。この各保冷材収納部２０は、シャツ１００の襟刳１１ｂ方向に向かって開口する開口部２１を備える。そして、各保冷材収納部２０は、保冷材３０が開口部２１から横方向（図１矢印Ａ（挿入方向））に向かって挿入されることで、保冷材３０を保持することが可能である。また、各保冷材収納部２０に保持された保冷材３０は、挿入方向Ａとは逆方向に取り出すことが可能である。
【００１７】
本実施の形態によれば、前身頃１１の裏側１１ａに保冷材収納部２０が形成されるので、保冷材３０から着用者の身体への熱の伝達を妨げる介在物が最小限に抑えられている。このため、保冷材３０の冷却効果を向上することができる。また、保冷材３０が襟刳１１ｂ方向に向かって開口する開口部２１から横方向（図１矢印Ａ（挿入方向））に向かって挿入され、その挿入方向Ａと逆方向に取り出される。このため、着用者自身が襟刳１１ｂから保冷材３０を容易に出し入れすることができる。
【００１８】
また、好ましくは、開口部２１は、襟刳１１ｂから２ｃｍ程度の場所に配置されている。これにより、保冷材３０の出し入れがさらに容易になる。
【００１９】
さらに、開口部２１は、前身頃１１の裏側１１ａに対してファスナーやボタン等の接着手段により開閉自在としてもよい。これにより、保冷材収納部２０に保持される保冷材３０が開口部２１から落下することを防止できる。
【００２０】
＜第２の実施形態＞
以下、本考案の他の一実施の形態について、図面に基づいて説明する。
【００２１】
図３は、本考案の一実施の形態におけるシャツ２００を示す正面図である。
【００２２】
本実施の形態のシャツ２００は、第１の実施形態のシャツ１００の保冷材収納部２０の代わりに保冷材収納部２２０を備える点以外は、第１の実施形態のシャツ１００と同じ構成を備えている。
【００２３】
本実施の形態のシャツ２００における各保冷材収納部２２０は、第１の実施形態のシャツ１００における各保冷材収納部２０と同様に、前身頃１１の裏側１１ａに対して、四角形状の生地２２を接合することにより形成されている。この各保冷材収納部２２０は、シャツ２００の襟刳１１ｂ方向に向かって開口する開口部２２１を備える。そして、各保冷材収納部２２０は、保冷材３０が開口部２２１から斜め下方向（図３矢印Ｂ（挿入方向））に向かって挿入されることで、保冷材３０を保持することが可能である。また、各保冷材収納部２２０に保持された保冷材３０は、挿入方向Ｂとは逆方向に取り出すことが可能である。
【００２４】
本実施の形態によれば、前身頃１１の裏側１１ａに保冷材収納部２２０が形成されるので、保冷材３０から着用者の身体への熱の伝達を妨げる介在物が最小限に抑えられている。このため、保冷材３０の冷却効果を向上することができる。また、保冷材３０が開口部２２１から斜め下方向（図３矢印Ｂ（挿入方向））に向かって挿入され、その挿入方向Ｂと逆方向に取り出される。このため、着用者自身が襟刳１１ｂから保冷材３０を容易に出し入れすることができる。さらに、本実施の形態によれば、保冷材３０が襟刳１１ｂ方向に向かって開口する開口部２２１から斜め下方向（図３矢印Ｂ（挿入方向））に向かって挿入されるので、保冷材収納部２２０に保持される保冷材３０が開口部２２１から落下することを防止できる。
【００２５】
また、好ましくは、開口部２２１は、襟刳１１ｂから２ｃｍ程度の場所に配置されている。これにより、保冷材３０の出し入れがさらに容易になる。
【００２６】
さらに、開口部２２１は、前身頃１１の裏側１１ａに対してファスナーやボタン等の接着手段により開閉自在としてもよい。これにより、保冷材収納部２２０に保持される保冷材３０が開口部２２１から落下することをさらに防止できる。
【００２７】
＜第３の実施形態＞
以下、本考案の他の一実施の形態について、図面に基づいて説明する。
【００２８】
図４は、本考案の一実施の形態におけるシャツ３００を示す正面図である。
【００２９】
本実施の形態のシャツ３００は、前身頃３１１と、後身頃３１２と、袖３１３と、襟３１４と、前立て３１５と、前身頃３１１の裏側３１１ａに形成された左右２つの保冷材収納部３２０を備えている。
【００３０】
各保冷材収納部３２０は、前身頃３１１の裏側３１１ａに対して、四角形状の生地２２を接合することにより形成されている。この各保冷材収納部３２０は、シャツ３００の前立て３１５方向に向かって開口する開口部３２１を備える。そして、各保冷材収納部３２０は、保冷材３０が開口部３２１から横方向（図４矢印Ｃ（挿入方向））に向かって挿入されることで、保冷材３０を保持することが可能である。また、各保冷材収納部３２０に保持された保冷材３０は、挿入方向Ｃとは逆方向に取り出すことが可能である。
【００３１】
本実施の形態によれば、前身頃３１１の裏側３１１ａに保冷材収納部３２０が形成されるので、保冷材３０から着用者の身体への熱の伝達を妨げる介在物が最小限に抑えられている。このため、保冷材３０の冷却効果を向上することができる。また、保冷材３０が前立て３１５方向に向かって開口する開口部３２１から横方向（図４矢印Ｃ（挿入方向））に向かって挿入され、その挿入方向Ｃと逆方向に取り出される。このため、着用者自身が前立て３１５から保冷材３０を容易に出し入れすることができる。さらに、本実施の形態によれば、保冷材３０が開口部３２１から横方向（図４矢印Ｃ（挿入方向））に向かって挿入されるので、保冷材収納部３２０に保持される保冷材３０が開口部３２１から落下することを防止できる。
【００３２】
また、好ましくは、開口部３２１は、前立て３１５から２ｃｍ程度の場所に配置されている。これにより、保冷材３０の出し入れがさらに容易になる。
【００３３】
さらに、開口部３２１は、前身頃３１１の裏側３１１ａに対してファスナーやボタン等の接着手段により開閉自在としてもよい。これにより、保冷材収納部３２０に保持される保冷材３０が開口部３２１から落下することをさらに防止できる。
【００３４】
＜第４の実施形態＞
以下、本考案の他の一実施の形態について、図面に基づいて説明する。
【００３５】
図５は、本考案の一実施の形態におけるシャツ４００の保冷材収納部２０と保冷材収納部２０に保持される保冷材３０とを示す断面図である。
【００３６】
本実施の形態のシャツ４００は、保冷材収納部２０に収納された保冷材３０の外側に吸水部材４０をさらに備える点以外は、第１の実施形態のシャツ１００と同じ構成を備えている。
【００３７】
この吸水部材４０として、ガーゼ、メリヤス、タオル等の吸水性素材が採用される。そして、この吸水部材４０は、保冷材３０による露を吸収する。
【００３８】
本実施の形態によれば、シャツ４００が外観上保冷材３０による露により濡れることを防止できる。従って、シャツ４００の清潔感を保たせることができる。
【００３９】
＜第５の実施形態＞
以下、本考案の他の一実施の形態について、図面に基づいて説明する。
【００４０】
図６は、本考案の一実施の形態におけるシャツ５００の保冷材収納部２０と保冷材収納部２０に保持される保冷材３０とを示す断面図である。
【００４１】
本実施の形態のシャツ５００は、保冷材収納部２０に収納された保冷材３０の内側に吸水部材５０をさらに備える点以外は、第１の実施形態のシャツ１００と同じ構成を備えている。
【００４２】
この吸水部材５０として、第４の実施形態の吸水部材４０と同様に、ガーゼ、メリヤス、タオル等の吸水性素材が採用される。そして、この吸水部材５０は、保冷材３０による露を吸収する。
【００４３】
本実施の形態によれば、シャツ５００の着用者に接する部分が保冷材３０による露により濡れることを防止できる。従って、着用者が保冷材３０による露により濡れることがなく、着用者に不快感を与えることを防止できる。
【００４４】
＜第６の実施形態＞
以下、本考案の他の一実施の形態について、図面に基づいて説明する。
【００４５】
図７は、本考案の一実施の形態におけるシャツ６００を示す正面図である。また、図８は、本考案の一実施の形態におけるシャツ６００の保冷材収納部２０、保冷材収納部２０に保持される保冷材３０、及びポケット６６０を示す断面図である。
【００４６】
本実施の形態のシャツ６００は、前身頃１１の表側１１ｃの保冷材収納部２０と対応する位置に形成されたポケット６６０をさらに備える点以外は、第１の実施形態のシャツ１００と同じ構成を備えている。
【００４７】
ポケット６６０は、前身頃１１の表側１１ｃに対して、四角形状の生地６６１を上方の開口部６６２を除いて接合することにより形成されている。なお、前身頃１１と生地６６１との接合手段としては、縫合や接着などの公知の手段が用いられる。
【００４８】
本実施の形態によれば、シャツ６００が外観上保冷材３０による露により濡れることを防止できる。従って、シャツ６００の清潔感を保たせることができる。
【００４９】
＜第７の実施形態＞
以下、本考案の他の一実施の形態について、図面に基づいて説明する。
【００５０】
図９は、本考案の一実施の形態におけるシャツ７００を示す裏面図である。また、図１０は、本考案の一実施の形態におけるシャツ７００の後部保冷材収納部７７０と後部保冷材収納部７７０に保持される保冷材３０とを示す断面図である。
【００５１】
本実施の形態のシャツ７００は、後身頃１２の裏側１２ａに形成された左右２つの後部保冷材収納部７７０をさらに備える点以外は、第１の実施形態のシャツ１００と同じ構成を備えている。これにより前に２つ、後ろに２つの保冷材が保持される。
【００５２】
各後部保冷材収納部７７０は、後身頃１２の裏側１２ａに対して、四角形状の生地７７２を接合することにより形成されている。なお、後身頃１２と生地７７２との接合手段としては、縫合や接着などの公知の手段が用いられる。この各後部保冷材収納部７７０は、シャツ７００の襟刳１１ｂ方向に向かって開口する開口部７７１を備える。そして、各後部保冷材収納部７７０は、保冷材３０が開口部７７１から下方向（図９矢印Ｄ（挿入方向））に向かって挿入されることで、保冷材３０を保持することが可能である。また、各後部保冷材収納部７７０に保持された保冷材３０は、挿入方向Ｄとは逆方向に取り出すことが可能である。
【００５３】
本実施の形態によれば、後身頃１２の裏側１２ａに後部保冷材収納部７７０が形成されるので、保冷材３０から着用者の背中への熱の伝達を妨げる介在物が最小限に抑えられている。このため、保冷材３０の背中に対する冷却効果を向上することができる。また、保冷材３０が襟刳１１ｂ方向に向かって開口する開口部７７１から下方向（図９矢印Ｄ（挿入方向））に向かって挿入され、その挿入方向Ｄと逆方向に取り出される。このため、着用者自身が襟刳１１ｂから保冷材３０を容易に出し入れすることができる。
【００５４】
また、好ましくは、開口部７７１は、襟刳１１ｂから２ｃｍ程度の場所に配置されている。これにより、保冷材３０の出し入れがさらに容易になる。
【００５５】
さらに、開口部７７は、後身頃１２の裏側１２ａに対してファスナーやボタン等の接着手段により開閉自在とされていてもよい。これにより、後部保冷材収納部７７０に保持される保冷材３０が開口部７７１から落下することをさらに防止できる。
【００５６】
なお、上記各実施の形態においては、前身頃の裏側に２つの保冷材収納部を備える構成が採用されているが、１又は３以上の複数の保冷材収納部を備える構成が採用されてもよい。ただし、左右のバランス上、左右各同数の保冷材収納部を備える構成であることが好ましい。
【００５７】
また、上記各実施の形態においては、保冷材収納部が身頃に対して四角形状の生地を接合することにより形成されているが、円形状、楕円形状、菱形状等保冷材を収納可能な他の形状の生地を接合することにより形成されてもよい。また、生地の接合に代えて、前身頃と一体で形成されてもよい。
【００５８】
また、上記第３の実施形態においては、保冷材収納部が、保冷材が開口部から横方向に向かって挿入されることで、保冷材を保持する構成が採用されているが、第２の実施形態と同様に、保冷材収納部が、保冷材が開口部から斜め下方向に向かって挿入されることで、保冷材を保持する構成が採用されてもよい。
【００５９】
また、上記第３の実施形態のシャツは、第４の実施形態における吸水部材や、第５の実施形態における吸水部材をさらに備えてもよい。
【００６０】
また、上記第３の実施形態のシャツは、第６の実施形態におけるポケットをさらに備えてもよい。
【００６１】
また、上記第３の実施形態のシャツは、第７の実施形態における後部保冷材収納部をさらに備えてもよい。
【００６２】
また、上記第７の実施形態においては、後身頃の裏側に２つの後部保冷材収納部を備える構成が採用されているが、１又は３以上の複数の後部保冷材収納部を備える構成が採用されてもよい。ただし、左右のバランス上、左右各同数の後部保冷材収納部を備える構成であることが好ましい。
【００６３】
さらに、上記第７の実施形態のシャツは、第４の実施形態と同様に、後部保冷材収納部に収納された保冷材の外側に吸水部材をさらに備えてもよい。また、第５の実施形態と同様に、後部保冷材収納部に収納された保冷材の内側に吸水部材をさらに備えてもよい。
【００６４】
上記各実施の形態は、すべての点で例示であって制限的なものではないと考えられるべきである。本考案の範囲は上記した説明ではなくて特許請求の範囲によって示され、特許請求の範囲と均等の意味および範囲内でのすべての変更が含まれることが意図される。
【符号の説明】
【００６５】
１１,３１１  前身頃
１１ａ  前身頃の裏側
１１ｂ  襟刳
１１ｃ  前身頃の表側
１２,３１２  後身頃
１３,３１３  袖
２０,２２０,３２０  保冷材収納部
２１,２２１,３２１  保冷材収納部の開口部
２２  生地
３０  保冷材
４０  吸水部材
５０  吸水部材
１００,２００,３００,４００,５００,６００  シャツ
３１４  襟
３１５  前立て
６６０  ポケット
６６１  生地
６６２  ポケットの開口部
【図１】
0003153549.tif 000003
【図２】
0003153549.tif 000004
【図３】
0003153549.tif 000005
【図４】
0003153549.tif 000006
【図５】
0003153549.tif 000007
【図６】
0003153549.tif 000008
【図７】
0003153549.tif 000009
【図８】
0003153549.tif 000010
【図９】
0003153549.tif 000011
【図１０】
0003153549.tif 000012